(57)【要約】【課題】テレビチャットサービスを利用するユーザの人口の増加にともなってそのユーザのニーヅはますます多様化してきており、テレビチャットサービスの提供者側はそのようなニーヅの多様化に十分に対応できていなかった。【解決手段】ユーザＸ１が録画したテレビ番組に関するテレビチャットを同じテレビ番組を録画した他のユーザとの間で行うためのパーソナルコンピュータ１１０と、ユーザＸ１が録画したテレビ番組に応じて、ユーザＸ１が他のユーザとの間でテレビチャットを行うためのテレビチャットサービスを提供するためのサーバ１２０とを備え、サーバ１２０は、ユーザＸ１が入力したユーザ個人情報を利用して行われる許可に応じてテレビチャットサービスを提供するテレビチャットシステムである。【選択図】図１
2007214861.tif 000002
【特許請求の範囲】
【請求項１】
ユーザが録画したテレビ番組に関するテレビチャットを同じテレビ番組を録画した他のユーザとの間で行うためのテレビチャット端末装置と、
前記ユーザが録画したテレビ番組に応じて、前記ユーザが他のユーザとの間でテレビチャットを行うためのテレビチャットサービスを提供するためのテレビチャットサーバとを備え、前記テレビチャットサーバは、前記録画されたテレビ番組の再生中に他のユーザが行っているテレビチャットの内容を蓄積し、前記テレビチャット端末装置は、一旦録画された前記テレビ番組が再生される場合には、その旨を前記テレビチャットサーバに通知し、前記テレビチャットサーバは、前記通知を受けた場合には、前記蓄積されているテレビチャットの内容を前記テレビチャット端末装置に転送するテレビチャットシステム。
【請求項２】
ユーザが録画したテレビ番組に関するテレビチャットを同じテレビ番組を録画した他のユーザとの間で行うためのテレビチャット端末装置であって、
前記テレビチャットは、前記ユーザが録画したテレビ番組に応じて、前記ユーザが他のユーザとの間でテレビチャットを行うためのテレビチャットサービスを提供するためのテレビチャットサーバを利用して行われ、一旦録画された前記テレビ番組が再生される場合には、その旨を前記テレビチャットサーバに通知し、前記テレビチャットサーバは、
（１）前記録画されたテレビ番組を再生中に他のユーザが行っているテレビチャットの内容を蓄積し、
（２）前記通知を受けた場合には、前記蓄積されているテレビチャットの内容をそのテレビチャット端末装置に転送するテレビチャット端末装置。
【請求項３】
ユーザが録画したテレビ番組に関するテレビチャットを同じテレビ番組を録画した他のユーザとの間で行うためのテレビチャット端末装置を利用して、前記ユーザが録画したテレビ番組に応じて、前記ユーザが他のユーザとの間でテレビチャットを行うためのテレビチャットサービスを提供するためのテレビチャットサーバであって、
（１）前記録画したテレビ番組の再生中に他のユーザが行っているテレビチャットの内容を蓄積し、
（２）前記テレビチャット端末装置から、一旦録画された前記テレビ番組が再生される旨の通知を受けた場合には、前記蓄積されているテレビチャットの内容を前記テレビチャット端末装置に転送するテレビチャットサーバ。
【請求項４】
ユーザが録画したテレビ番組に関するテレビチャットを同じテレビ番組を録画した他のユーザとの間で行うためのテレビチャット端末装置を利用して、前記ユーザが録画したテレビ番組に応じて、前記ユーザが他のユーザとの間でテレビチャットを行うためのテレビチャットサービスを提供するためのテレビチャットサービス提供方法であって、前記録画したテレビ番組の再生中に他のユーザが行っているテレビチャットの内容を蓄積するテレビチャット内容蓄積ステップと、前記テレビチャット端末装置から、一旦録画された前記テレビ番組が再生される旨のテレビチャットサーバに対する通知を受けた場合には、前記蓄積されているテレビチャットの内容を前記テレビチャット端末装置に転送するテレビチャット内容転送ステップとを備えたテレビチャットサービス提供方法。
【発明の詳細な説明】
【技術分野】
【０００１】
本発明は、録画したテレビ番組の再生を行いながら、そのテレビ番組の内容などに関して他のユーザとインターネットチャットを楽しむための、テレビチャットシステム、テレビチャット端末装置、テレビチャットサーバ、テレビチャットサービス提供方法に関するものである。
【背景技術】
【０００２】
パーソナルコンピュータの高性能化にともない、地上波などを利用して送信されてくるテレビ番組をハードディスクに記録し、再生することができるテレビチューナ内蔵型パーソナルコンピュータが徐々に普及してきた。
【０００３】
一方、ＦＴＴＨ（ｆｉｂｅｒ  ｔｏ  ｔｈｅ  ｈｏｍｅ）などの光通信網やＡＤＳＬ（ａｓｙｍｍｅｔｒｉｃ  ｄｉｇｉｔａｌ  ｓｕｂｓｃｒｉｂｅｒ  ｌｉｎｅ、非対称ディジタル加入者線）をはじめとするブロードバンド対応ネットワークの整備にともない、インターネット常時接続を実現するための環境が急速に普及しつつある。
【０００４】
このため、テレビチューナ内蔵型パーソナルコンピュータでテレビ番組を再生しながら、インターネット上のテレビ番組関連情報にアクセスするようなテレビ番組の視聴形態も、もはや特殊なものではなくなってきている。
【０００５】
また、テレビ番組の視聴を行いながら、そのテレビ番組の内容などに関して他のユーザとインターネットチャットを楽しむための、いわゆるテレビチャットサービスの提供も開始されており、そのようなテレビチャットサービスを利用するユーザの人口は増加していると考えられる。
【特許文献１】特開２００３−３４５７２９号公報
【発明の開示】
【発明が解決しようとする課題】
【０００６】
しかしながら、テレビチャットサービスを利用するユーザの人口の増加にともなってそのユーザのニーヅはますます多様化してきており、例えば、チャットの内容の対象となっている動画に、すばやくアクセスできる仕組みが無いなど、テレビチャットサービスの提供者側はそのようなニーヅの多様化に十分に対応できていないという課題があった。
【０００７】
本発明は、上記従来のこのような課題を考慮し、テレビチャットサービスを利用するユーザのニーヅの多様化により対応することができるテレビチャットシステム、テレビチャット端末装置、テレビチャットサーバ、およびテレビチャットサービス提供方法を提供することを目的とするものである。
【課題を解決するための手段】
【０００８】
第１の本発明は、ユーザが録画したテレビ番組に関するテレビチャットを同じテレビ番組を録画した他のユーザとの間で行うためのテレビチャット端末装置と、前記ユーザが録画したテレビ番組に応じて、前記ユーザが他のユーザとの間でテレビチャットを行うためのテレビチャットサービスを提供するためのテレビチャットサーバとを備え、前記テレビチャットサーバは、前記録画されたテレビ番組の再生中に他のユーザが行っているテレビチャットの内容を蓄積し、前記テレビチャット端末装置は、一旦録画された前記テレビ番組が再生される場合には、その旨を前記テレビチャットサーバに通知し、前記テレビチャットサーバは、前記通知を受けた場合には、前記蓄積されているテレビチャットの内容を前記テレビチャット端末装置に転送するテレビチャットシステムである。
【０００９】
第２の本発明は、ユーザが録画したテレビ番組に関するテレビチャットを同じテレビ番組を録画した他のユーザとの間で行うためのテレビチャット端末装置であって、前記テレビチャットは、前記ユーザが録画したテレビ番組に応じて、前記ユーザが他のユーザとの間でテレビチャットを行うためのテレビチャットサービスを提供するためのテレビチャットサーバを利用して行われ、一旦録画された前記テレビ番組が再生される場合には、その旨を前記テレビチャットサーバに通知し、前記テレビチャットサーバは、（１）前記録画されたテレビ番組を再生中に他のユーザが行っているテレビチャットの内容を蓄積し、（２）前記通知を受けた場合には、前記蓄積されているテレビチャットの内容をそのテレビチャット端末装置に転送するテレビチャット端末装置である。
【００１０】
第３の本発明は、ユーザが録画したテレビ番組に関するテレビチャットを同じテレビ番組を録画した他のユーザとの間で行うためのテレビチャット端末装置を利用して、前記ユーザが録画したテレビ番組に応じて、前記ユーザが他のユーザとの間でテレビチャットを行うためのテレビチャットサービスを提供するためのテレビチャットサーバであって、（１）前記録画したテレビ番組の再生中に他のユーザが行っているテレビチャットの内容を蓄積し、（２）前記テレビチャット端末装置から、一旦録画された前記テレビ番組が再生される旨の通知を受けた場合には、前記蓄積されているテレビチャットの内容を前記テレビチャット端末装置に転送するテレビチャットサーバである。
【００１１】
第４の本発明は、ユーザが録画したテレビ番組に関するテレビチャットを同じテレビ番組を録画した他のユーザとの間で行うためのテレビチャット端末装置を利用して、前記ユーザが録画したテレビ番組に応じて、前記ユーザが他のユーザとの間でテレビチャットを行うためのテレビチャットサービスを提供するためのテレビチャットサービス提供方法であって、前記録画したテレビ番組の再生中に他のユーザが行っているテレビチャットの内容を蓄積するテレビチャット内容蓄積ステップと、前記テレビチャット端末装置から、一旦録画された前記テレビ番組が再生される旨のテレビチャットサーバに対する通知を受けた場合には、前記蓄積されているテレビチャットの内容を前記テレビチャット端末装置に転送するテレビチャット内容転送ステップとを備えたテレビチャットサービス提供方法である。
【発明の効果】
【００１２】
以上述べたところから明らかなように、本発明は、テレビチャットサービスを利用するユーザのニーヅの多様化により対応することができるという長所を有する。
【発明を実施するための最良の形態】
【００１３】
（実施の形態１）
はじめに、本発明にかかる実施の形態１のテレビチャットシステムの構成図である図１を主として参照しながら、本実施の形態のテレビチャットシステムの構成について説明する。
【００１４】
本実施の形態のテレビチャットシステムは、ユーザＸ１が録画後に再生されているテレビ番組に関するテレビチャットを行うためのパーソナルコンピュータ１１０と、その録画後に再生されているテレビ番組に応じて、ユーザＸ１が他のユーザとの間でテレビチャットを行うためのテレビチャットサービスを提供するためのサーバ１２０とを備えている。
【００１５】
本実施の形態においては、（１）サーバ１２０は、テレビ番組が放送されているときにコンピュータ１３０側のユーザＹ１をはじめとする他のユーザが行っているテレビチャットの内容を蓄積手段１２２のハードディスクに蓄積し、（２）パーソナルコンピュータ１１０は、一旦録画されたテレビ番組が再生される旨をサーバ１２０に通知し、（３）サーバ１２０は、上述の通知を受けると、蓄積されているテレビチャットの内容をパーソナルコンピュータ１１０に転送するものである。
【００１６】
なお、パーソナルコンピュータ１１０は本発明のテレビチャット端末装置に対応し、サーバ１２０は本発明のテレビチャットサーバに対応する。
【００１７】
つぎに、本実施の形態のテレビチャットシステムの構成について、より詳しく説明する。
【００１８】
ネットワーク１００は、パーソナルコンピュータ１１０、サーバ１２０、パーソナルコンピュータ１３０などが接続された、インターネット、公衆網、ＬＡＮ（ｌｏｃａｌ  ａｒｅａ  ｎｅｔｗｏｒｋ）などを有する通信網である。
【００１９】
パーソナルコンピュータ１１０は、テレビチューナ内蔵型パーソナルコンピュータである。より具体的に述べると、制御手段１１１は、パーソナルコンピュータ１１０の動作を制御するための中央演算処理装置（図示省略）を有する手段である。蓄積手段１１２は、パーソナルコンピュータ１１０の動作を統制するＯＳをはじめとするプログラムを蓄積するためのハードディスク（図示省略）を有する手段である。ユーザ入力手段１１３は、ユーザＸ１が制御手段１１１に対してユーザ入力を行うためのキーボードやマウス（図示省略）を有する手段である。テレビ番組受信手段１１４は、テレビアンテナ（図示省略）によって受信されたテレビ番組放送電波を信号処理するためのテレビチューナ（図示省略）を有する手段である。出力手段１１５は、制御手段１１１がユーザＸ１に対して音声・画像出力を行うためのスピーカやディスプレイモニタ（図示省略）を有する手段である。
【００２０】
本実施の形態においては、蓄積手段１１２のハードディスクは、一旦録画されたテレビ番組が再生される旨をサーバ１２０に通知するためのプログラムを蓄積している。
【００２１】
パーソナルコンピュータ１３０は、１１０と類似した構成を有するテレビチューナ内蔵型パーソナルコンピュータである。より具体的に述べると、制御手段１３１は、制御手段１１１と類似した構成を有しており、パーソナルコンピュータ１３０の動作を制御するための中央演算処理装置（図示省略）を有する手段である。蓄積手段１３２は、蓄積手段１１２と類似した構成を有しており、パーソナルコンピュータ１３０の動作を統制するＯＳをはじめとするプログラムを蓄積するためのハードディスク（図示省略）を有する手段である。ユーザ入力手段１３３は、ユーザ入力手段１１３と類似した構成を有しており、ユーザＹ１が制御手段１３１に対してユーザ入力を行うためのキーボードやマウス（図示省略）を有する手段である。テレビ番組受信手段１３４は、テレビ番組受信手段１１４と類似した構成を有しており、テレビアンテナ（図示省略）によって受信されたテレビ番組放送電波を信号処理するためのテレビチューナ（図示省略）を有する手段である。出力手段１３５は、出力手段１１５と類似した構成を有しており、制御手段１３１がユーザＹ１に対して音声・画像出力を行うためのスピーカやディスプレイモニタ（図示省略）を有する手段である。
【００２２】
サーバ１２０は、ＨＴＴＰ（Ｈｙｐｅｒ  ｔｅｘｔ  ｔｒａｎｓｆｅｒ  ｐｒｏｔｏｃｏｌ）サーバである。より具体的に述べると、制御手段１２１は、サーバ１２０の動作を制御するための中央演算処理装置（図示省略）を有する手段である。蓄積手段１２２は、サーバ１２０の動作を統制するＯＳ（Ｏｐｅｒａｔｉｎｇ  Ｓｙｓｔｅｍ）をはじめとするプログラムを蓄積するためのハードディスク（図示省略）を有する手段である。
【００２３】
本実施の形態においては、蓄積手段１２２のハードディスクは、テレビ番組が放送されているときにコンピュータ１３０側のユーザＹ１をはじめとする他のユーザが行っているテレビチャットの内容を蓄積し、上述の通知を受けると、蓄積されているテレビチャットの内容をパーソナルコンピュータ１１０に転送するためのプログラムを蓄積している。
【００２４】
つぎに、本実施の形態のテレビチャットシステムの動作について説明する。なお、本実施の形態のテレビチャットシステムの動作について説明しながら、本発明のテレビチャットサービス提供方法の一実施の形態についても説明する。
【００２５】
以下においては、（Ａ）テレビ番組の録画予約にともなう動作、（Ｂ）テレビ番組の録画にともなう動作、（Ｃ）録画した番組を再生してチャットを記録する動作、（Ｄ）チャットの履歴表示にともない動作について、順に説明する。
【００２６】
（Ａ）テレビ番組の録画予約にともなう動作；ユーザ入力手段１１３は、テレビ番組「カーレース」の放送チャネル「２チャネル」、放送開始時刻「午後８時１５分」、および放送終了時刻「午後８時３０分」からなるテレビ番組データをテレビ番組情報として指定するためのユーザ入力に応じ、テレビ番組「カーレース」の録画予約を行うための信号を制御手段１１１に対して出力する。
【００２７】
制御手段１１１は、ユーザ入力手段１１３が出力した信号に応じ、テレビ番組「カーレース」の録画予約を行うための信号を蓄積手段１１２に対して出力する。
【００２８】
蓄積手段１１２は、  制御手段１１１が出力した信号に応じ、上述のテレビ番組データをハードディスクに蓄積する。
【００２９】
また、制御手段１１１は、ネットワーク１００を介して、テレビ番組「カーレース」が一旦録画される旨とともに、上述のテレビ番組データをサーバ１２０に通知するための信号を制御手段１２１に対して出力する。
【００３０】
制御手段１２１は、制御手段１１１が出力した信号に応じ、ユーザＸ１が入室すべきチャットルーム「カーレースの部屋」の選択を通知されたテレビ番組データを利用して行い、テレビ番組「カーレース」が放送されているときにコンピュータ１３０側のユーザＹ１をはじめとする他のユーザがチャットルーム「カーレースの部屋」で行っているテレビチャットの内容からなるテレビチャットログデータを蓄積する設定を行うための信号を蓄積手段１１２に対して出力する。
【００３１】
蓄積手段１１２は、制御手段１１１が出力した信号に応じ、上述のテレビチャットログデータをハードディスクに蓄積する設定を行うためのテレビチャットログ蓄積設定データをハードディスクに蓄積する。
【００３２】
（Ｂ）テレビ番組の録画にともなう動作；制御手段１１１は、蓄積手段１１２のハードディスクに蓄積されているテレビ番組データを見てテレビ番組「カーレース」の放送開始時刻「午後８時１５分」が接近していることを認識すると、テレビ番組「カーレース」の録画を行うための信号をテレビ番組受信手段１１４に対して出力する。テレビ番組受信手段１１４は、制御手段１１１が出力した信号に応じ、テレビアンテナ（図示省略）によって受信されたテレビ番組「カーレース」の放送電波を信号処理し、テレビ番組「カーレース」の録画を行うための信号を制御手段１１１に対して出力する。
【００３３】
制御手段１１１は、テレビ番組受信手段１１４が出力した信号に応じ、テレビ番組「カーレース」の録画を行うための信号を蓄積手段１１２に対して出力する。
【００３４】
蓄積手段１１２は、制御手段１１１が出力した信号に応じ、テレビ番組「カーレース」の音声・画像データを上述のテレビ番組データと関連付けてハードディスクに蓄積する。
【００３５】
（Ｃ）録画した番組を再生してチャットを記録する動作；番組の録画が完了し、後日改めて、テレビ番組「カーレース」を再生しながらチャットを行う場合の動作について説明する。ユーザ入力手段１１３は、テレビ番組「カーレース」の再生を行うためのユーザ入力に応じ、テレビ番組「カーレース」の再生を行うための信号を制御手段１１１に対して出力する。制御手段１１１は、ユーザ入力手段１１３が出力した信号に応じ、テレビ番組「カーレース」の再生を行うための信号を蓄積手段１１２に対して出力する。
【００３６】
また、蓄積手段１２２のハードディスクは、蓄積されているテレビチャットログ蓄積設定データを参照し、テレビ番組「カーレース」の放送開始時刻情報をインデックスとしてテレビチャットログデータの格納領域を確保する。
【００３７】
コンピュータ１３０側のユーザＹ１をはじめとする他のユーザがチャットルーム「カーレースの部屋」で行っているテレビチャットの内容とそのチャットの参照先である映像の当時放送されていた時刻とを関連付けた情報からなるテレビチャットログデータを蓄積するための信号を蓄積手段１２２に対して出力する。
【００３８】
蓄積手段１２２は、制御手段１２１が出力した信号に応じ、上述のテレビチャットログデータをテレビチャットで参照している放送時刻を示すテレビチャット時刻情報として生成されたテレビチャットログ時刻データとを関連付けてハードディスクに蓄積する。
【００３９】
（Ｄ）チャットの履歴表示にともなう動作；ユーザ入力手段１１３は、テレビ番組「カーレースの部屋」の履歴表示を行うためのユーザ入力に応じ、「カーレースの部屋」の履歴表示を行うための信号を制御手段１１１に対して出力する。
【００４０】
また、制御手段１１１は、ユーザ入力手段１１３が出力した信号に応じ、ネットワーク１００を介して、テレビ番組「カーレース」が再生される旨をサーバ１２０に通知するための信号を制御手段１２１に対して出力する。
【００４１】
制御手段１２１は、制御手段１１１が出力した信号に応じ、ユーザＹ１をはじめとする他のユーザがチャットルーム「カーレースの部屋」で行っていたテレビチャットの内容からなるテレビチャットログデータをパーソナルコンピュータ１１０に転送するための信号を蓄積手段１２２に対して出力する。
【００４２】
蓄積手段１２２は、制御手段１２１が出力した信号に応じ、テレビチャットログ時刻データと、そのテレビチャットログ時刻データと関連付けてハードディスクに蓄積されているテレビチャットログデータとを読み出し、それらをパーソナルコンピュータ１１０に転送するための信号を制御手段１２１に対して出力する。
【００４３】
制御手段１２１は、蓄積手段１２２が出力した信号に応じ、ネットワーク１００を介して、テレビチャット参照先時刻データと、そのテレビチャット参照先時刻データと関連付けてハードディスクに蓄積されていたテレビチャットログデータとをパーソナルコンピュータ１１０に転送するための信号を制御手段１１１に対して出力する。
【００４４】
そして、制御手段１１１は、上述の蓄積手段１１２が出力した信号および制御手段１２１が出力した信号に応じ、テレビ番組データとテレビチャット参照先時刻データとを解析することで、テレビ映像ウィンドウＷ３に表示されるべき音声・画像データとテレビチャットログ表示ウィンドウＷ２″に表示されるべきテレビチャットログデータとの表示同期性を確保し、図２に示されているような表示画面の音声・画像出力を行うための信号を出力手段１１５に対して出力する。なお、図２は、本発明にかかる実施の形態１の表示画面の説明図である。
【００４５】
出力手段１１５は、制御手段１１１が出力した信号に応じ、図２に示されているような表示画面の音声・画像出力をユーザＸ１に対して行う。
【００４６】
このようにして、ユーザＸ１は、テレビ映像ウィンドウＷ３やテレビチャットログ表示ウィンドウＷ２″を見ながら、ユーザ入力ウィンドウＷ１へ入力したテレビチャット質問文やテレビチャット回答文と、その文章と関連付ける映像をボタンＢ１の再生制御ボタン群の操作で探し出し、関連付けたい映像が見つかればそこでボタンＢ２をクリックして関連付けを行い、ボタンＢ３のクリックによって送信し、テレビチャット表示ウィンドウＷ２′に出力されるべきテレビチャット回答文を受信したりすることが可能となり、録画再生されているテレビ番組に関するテレビチャットを行うことができる。
【産業上の利用可能性】
【００４７】
本発明のテレビチャットシステム、テレビチャット端末装置、テレビチャットサービス提供方法は、テレビチャットシステムを通じて動画を参照する際に、効率よく所望の動画にアクセスすることができ、今後ますます蓄積が増大していく動画コンテンツを効率よく検索が行えるシステムとして有用である。
【図面の簡単な説明】
【００４８】
【図１】本発明にかかる実施の形態１のテレビチャットシステムの構成図
【図２】本発明にかかる実施の形態１の表示画面を示す図
【符号の説明】
【００４９】
１００    ネットワーク
１１０    パーソナルコンピュータ
１１１    制御手段
１１２    蓄積手段
１１３    ユーザ入力手段
１１４    テレビ番組受信手段
１１５    出力手段
１２０    サーバ
１２１    制御手段
１２２    蓄積手段
１３０    パーソナルコンピュータ
１３１    制御手段
１３２    蓄積手段
１３３    ユーザ入力手段
１３４    テレビ番組受信手段
１３５    出力手段
【図１】
2007214861.tif 000003
【図２】
2007214861.tif 000004